(57)【要約】      （修正有）【課題】掘削具を支持するマストが所望の位置及び向きに配置決めするシステムを備えたボーリングマシンを提供する。【解決手段】位置決めシステムは、変形可能な平行四辺形部４４と、平行四辺形部と支持部との間のメカニカル・リンク４６と、平行四辺形部の第１の辺６８に対し相対的に自身の軸回りに回転するように取り付けられたシャフトであって、前記辺との間の角度が一定であるシャフトと、平行四辺形部の角頂をリンク・システム４６に対し相対的に不動に保持すること、及び平行四辺形部４４の第１の辺を前記不動の角頂７２回りに回転させることを同時に行う制御手段と、回転可能に取り付けられたシャフトに平行四辺形部の面内で並進運動を行わせる手段と、ロータリーシャフトの一端とマストとの間のメカニカル・リンク・システム４０と、を含む。【選択図】図４
2004332534.tif 000002
【特許請求の範囲】
【請求項１】
支持部（１０）、掘削具を支持するためのマスト（１４）、及び前記マストが所望の位置および所望の向きに配置されるように前記支持部に対し相対的に前記マストの位置決めを行う位置決めシステム（３０）を備えたボーリングマシンであって、前記位置決めシステムが、
変形可能な平行四辺形部（４４，４６）の形態を有する構造部と、
前記平行四辺形部を前記支持部に連結するための第２のメカニカル・リンク・システム（４６）と、
前記平行四辺形部の一辺（６８，１１８）に対し相対的に自身の軸回りに回転するように取り付けられたロータリーシャフト（８２，１２２）であって、前記平行四辺形部の面内にとどまるように拘束されており、前記辺（６８，１１８）との間の角度が一定であるロータリーシャフト（８２，１４２）と、
前記平行四辺形部の角頂（７０，７０’）を前記メカニカル・リンク・システムに対し相対的に不動に保持すること、及び前記ロータリーシャフトが設けられた前記平行四辺形部の前記辺（６８，１１８）を前記不動な角頂回りに回転させることを同時に行う第１の制御手段と、
前記第１の制御手段から独立しており、前記ロータリーシャフト（８２，１４２）に前記平行四辺形部（４４，４４４’）の面内で並進運動を行わせる制御手段と、
前記平行四辺形部の面への長手方向軸の投影が前記シャフトと一定の角度を形成するように前記ロータリーシャフトの一端（８２ａ）を前記マスト（１４）に連結する第１のメカニカル・リンク・システム（４０）と、
を含むことを特徴とするボーリングマシン。
【請求項２】
前記ロータリーシャフト（８２）は、前記平行四辺形部（４４）の一辺（６８）に取り付けられており、
前記第１の制御手段は、前記第２のメカニカル・リンク・システム（４６）に連結された水平軸（７０）と、前記水平軸（７０）回りに前記平行四辺形部（４４）の全体を回転させる手段（１０２）と、を含み、
前記第２の制御手段は、前記平行四辺形部の前記ロータリーシャフト（８２）と関連する辺（６８）の向きを不動に保つ手段（１０２）と、前記ロータリーシャフトが設けられた前記辺（６８）に連結されている前記平行四辺形部の辺（６２，６４）の向きを変更する手段（１００）と、を含むことを特徴とする請求項１に記載のボーリングマシン。
【請求項３】
前記第１の制御手段は、前記ロータリーシャフト（１２２）と関連する前記辺（１１８）に連結された前記平行四辺形部の辺（１１０ａ）を前記第２のメカニカル・リンク（４６）に対して相対的に不動に保持する手段（１２４）と、前記不動の辺に平行な前記平行四辺形部の辺（１１２ａ）を並進運動させる手段（１２２）と、を含み、
前記第２の手段は、前記ロータリーシャフト（１２２）がその上に取り付けられている固定部（１２０）と、前記ロータリーシャフトに関連する前記平行四辺形部（４４’）の前記辺（１１８）に対し前記固定部を平行に保持し、かつ、前記ロータリーシャフトと関連する前記辺に相対的に前記固定部（１２０）を動かす手段（１１０ｂ、１１２ｂ）と、前記ロータリーシャフトと関連する前記辺に連結された前記平行四辺形部（４４’）の辺（１１２ａ、１１０ａ）を同時に回転させる手段（１１０，１１２，１１４）と、を含むことを特徴とする請求項１に記載のボーリングマシン。
【請求項４】
前記第１のメカニカル・リンク・システム（４０）は、回転軸を構成する手段（８８，９６，９８）を有し、前記マストは前記ロータリーシャフト（８２）に対して相対的に前記回転軸回りに回転することができ、前記回転軸は前記マスト（１４）の長手方向軸に平行であることを特徴とする請求項１から３のいずれか１項に記載のボーリングマシン。
【請求項５】
前記第１のメカニカル・リンク・システム（４０）は、前記マストの長手方向軸が実質的に一定に維持されるように前記マスト（１４）が前記シャフト（８２）に対し相対的に並進するよう案内する案内手段（９０）を含むことを特徴とする請求項１から４のいずれか１項に記載のボーリングマシン。
【請求項６】
平行四辺形部（４４，４４’）の形態の前記構造部の回転可能に取り付けられた前記角頂（７０，７０’）を前記支持部（１０）に連結するための第２のメカニカル・リンク・システム（４６）をさらに備えることを特徴とする請求項１から５のいずれか１項に記載のボーリングマシン。
【請求項７】
前記第２のメカニカル・リンク・システム（４６）は、前記支持部（１０）に対して相対的に自身の軸（５６）回りに回転するように取り付けられた鉛直シャフト（５８）を含み、
変形可能な平行四辺形部（４４，４４’）を形成する前記構造部の前記回転軸（７０，７０’）は、前記鉛直シャフト（５８）とともに回転するように拘束されていることを特徴とする請求項６に記載のボーリングマシン。
【請求項８】
前記第２のメカニカル・リンク・システム（４６）は、前記鉛直シャフト（５８）が同じ鉛直面内にとどまるように、前記鉛直シャフトの軸に直交する方向に前記鉛直シャフトが並進するように案内する案内手段（４８）をさらに備えることを特徴とする請求項７に記載のボーリングマシン。
【発明の詳細な説明】
【技術分野】
【０００１】
本発明は、広範囲の方向に孔を掘削するための全方向ボーリングマシン（ドリリングマシン）に関する。
【背景技術】
【０００２】
ドリルパイプ・ストリングス（ｄｒｉｌｌｐｉｐｅ  ｓｔｒｉｎｇｓ）を有するボーリングマシンにより地面に実質的に鉛直な深い孔を掘削できることが知られている。広範囲のいろいろな方向に孔を掘削することも、また、孔を掘削すべき構造物の壁部の掘削開始位置に近づくことが困難である孔を掘削することも可能である。
【０００３】
本発明は、第２のタイプのボーリングマシンに関するものである。図１には、この第２のタイプのボーリングマシンの主な構成要素が示されている。
【０００４】
添付図１は、通常、クローラートラック（履帯）１２を備えているボーリングマシンのボディ、すなわち支持部１０を示す。ガイドマスト１４を位置決めするための位置決めシステムがボディ１０に据え付けられている。図１では、位置決めシステム全体に符号１６が付されている。よく知られているように、マスト１４は、（不図示の）掘削具のための案内滑り面としての役割を果たす。掘削具は、ドリルパイプを介してボーリングマシンのロータリーヘッド１８により回転駆動及び並進駆動される。マスト１４の作用端には、一般に二重ブレーキ２０が備えられている。二重ブレーキ２０は、掘削具を回転駆動するために、既に使用中のドリルパイプがドリルパイプストリンクの新しいドリルパイプを収容することを可能にする。
【０００５】
このようなボーリングマシンにおいて、極めて重要な要素は、掘削マストが孔を掘削するために必要とするあらゆる位置に届くことができるように、また、そのような掘削のために必要なあらゆる方向に向くことができるように、マスト１４を位置決めするための位置決めシステム１６を構成することである。
【０００６】
ガイドマストを位置決めし、掘削具がいろいろな向きや位置をとることを可能にする位置決めシステムが非常に多く存在している。位置決めシステムが複雑なほど掘削具が向ける向きが増えるが、ユーザが位置決めシステムを操作する時間も複雑さも増えることがわかる。逆に、位置決めシステムがあまりにも限定的なものであると、掘削具、つまりマストが所定の望ましい位置を簡単にとることを可能にできなくなる。例えば、図２は、公知のボーリングマシンにおいて掘削マスト１４が取ることのできる位置Ｉを示している。この位置では、ボーリングマシンが配置された面２３の下に形成された土手又は堤防２２に孔を掘削することはできない。符号ＩＩが付された一点鎖線は、掘削マストがとることができることが必要不可欠であると思われる向きを示している。
【０００７】
添付図３は、トンネル２６を補強するために掘削しなければならない孔２４の例を示している。トンネル２６は、孔２４の中に適当につなぎ材を入れることで補強される。
【０００８】
このようなボーリングマシンの経済性において決定的な要素は、正確な向きと位置を保証しつつ、可能な限り速く一連の孔を掘削するために掘削マストを適所に配置することができるということである。特に、位置決めシステム１６の種々の可動部は、マストを最終的な（目的の）向きに向けるために必要な種々の動きをできなければならない。マストを適所に配置すること、そしてそれ故に位置決めシステムを制御することは、位置決めシステムの部材の一つを動かすことが、位置決めシステムの「上流側」にある部材を動かすことで既に達成された位置決めを変えてしまうことになる場合にさらに困難になる。このような状況では、多くの時間を要し、ボーリングマシン、特に位置決めシステムの制御に関する高度の専門知識を必要とする一連の位置合わせ（接近）によってのみ最終的な（目的の）位置が得られる。
【０００９】
（発明の開示）
本発明の目的は、図１に示したタイプのボーリングマシンであって、特に図２及び３に示した条件の下で孔を掘削でき、かつ、そのマスト位置決めシステムがその前に行った調整を変えてしまうことのない簡単な一連の調整を行えるボーリングマシンを提供することである。
【００１０】
この目的を達成するために、本発明によれば、ボーリングマシンは支持部、掘削具を支持するためのマスト、及びマストが所望の位置および所望の向きに配置されるように支持部に対し相対的にマストの位置決めを行う位置決めシステムを備え、前記位置決めシステムが、
変形可能な平行四辺形部の形態を有する構造部と、
前記平行四辺形部を前記支持部に連結するための第２のメカニカル・リンク・システムと、
平行四辺形部の一辺に対し相対的に自身の軸回りに回転するように取り付けられたロータリーシャフトであって、前記平行四辺形部の面内にとどまるように拘束されており、前記辺との間の角度が一定であるロータリーシャフトと、
平行四辺形部の角頂を前記メカニカル・リンク・システムに対し相対的に不動に保持すること、及び前記ロータリーシャフトが設けられた平行四辺形部の辺を前記不動な角頂回りに回転させることを同時に行う第１の制御手段と、
第１の制御手段から独立しており、前記ロータリーシャフトに平行四辺形部の面内で並進運動を行わせる第２の制御手段と、
平行四辺形部の面への長手方向軸の投影が前記シャフトと一定の角度を形成するように前記ロータリーシャフトの一端を前記マストに連結する第１のメカニカル・リンク・システムと、
を含むことを特徴とする。
【００１１】
この単純化された実施形態では、ボーリングマシンの支持部の位置及び向きを適切に選択し、平行四辺形部の辺の位置を調整することにより、つまり、第１の制御手段を用いて、掘削具を案内するためのマストを鉛直面内で所望の向きに向け、次に、この向きを変えることなく、第２の制御手段を用いて、マストの作動している先端を地表の孔を掘削すべき位置に対向させるようにマストを移動させること、又はこの二つの操作を反対に行うことが可能であることが分かるだろう。
【００１２】
ボーリングマシンの位置決めシステムの制御がずっと簡単であることは明らかである。
【００１３】
第１の実施形態において、ボーリングマシンは、前記ロータリーシャフトが平行四辺形部の一辺に取り付けられており、前記第１の制御手段が前記第２のメカニカル・リンク・システムに連結された水平軸と、前記水平軸回りに平行四辺形部の全体を回転させる手段と、を含み、前記第２の制御手段が平行四辺形部の前記ロータリーシャフトと関連する辺の向きを不動に保つ手段と、前記ロータリーシャフトが設けられた辺に連結されている平行四辺形部の辺の向きを変更する手段と、を含むことを特徴とする。
【００１４】
この第１の実施形態では、平行四辺形部全体をその角頂の一つの回りに回転させることにより、掘削マストの向きを合わせることができる。いったん所望の向きが得られると、別個の制御手段を用いた制御により平行四辺形部を変形させ、孔を掘削すべき地表の位置に掘削マストを対向させる。
【００１５】
第２の実施形態において、ボーリングマシンは、前記第１の制御手段が、ロータリーシャフトと関連する辺に連結された平行四辺形部の辺を第２のメカニカル・リンク・システムに対して相対的に不動に保持する手段と、不動の辺に平行な平行四辺形部の辺を並進運動させる手段と、を含み、前記第２の手段が、ロータリーシャフトがその上に取り付けられている固定部、ロータリーシャフトに関連する平行四辺形部の辺に対し固定部を平行に保持し、かつ、ロータリーシャフトと関連する辺に相対的に固定部を動かす手段、及びロータリーシャフトと関連する辺に連結された平行四辺形部の辺を同時に回転させる手段を含むことを特徴とする。
【００１６】
第２の実施形態において、ロータリーシャフトは、ロータリーシャフトに関連する平行四辺形部の辺に対し平行を維持するように拘束された固定部上に取り付けられている。マストを特定の方向に向けるために、ロータリーシャフトに関連する辺に連結されている平行四辺形部の辺が不動に保たれる一方で、これに平行である平行四辺形部の辺が平行に動かされる。この結果、固定部は回転する。マストの端部を孔が掘削されるべき地表の位置に対向するように配置するために、固定部は平行に動かされる。
【００１７】
好ましい実施形態では、第１のメカニカル・リンク・システムが回転軸を構成する手段を有し、前記マストは前記ロータリーシャフトに対して相対的に、前記マストの長手方向軸に平行な回転軸回りに回転することができる。
【００１８】
ガイドマストの長さに平行な軸回りにマストを回転させられるということが、操縦者が絶えず見られる位置に掘削具を移動することを可能にし、ひいては、操縦の安全性を改善を可能にする。
【００１９】
好ましくは、前記第１のメカニカル・リンク・システムは、マストの長手方向軸が実質的に一定に維持されるように、マストがロータリーシャフトに対し相対的に並進するよう案内する案内手段をも含む。マストを並進運動させることが可能ということが、マストの作動端部を掘削すべき地表に近づけることを可能にする。
【００２０】
好ましくは、ボーリングマシンは支持部と平行四辺形部との間に第２のメカニカル・リンク・システムをさらに備える。前記第２のメカニカル・リンク・システムは、支持部に対して自身の軸回りに回転するように取り付けられた鉛直シャフトを含み、変形可能な平行四辺形部を形成する構造部の前記回転軸は、前記鉛直シャフトとともに回転するように拘束されている。
【００２１】
この特定の実施形態では、マスト位置決めシステムの上記した部材に対する他の設定を変えることなく、例えば、ガイドマスト全体を同じ鉛直軸回りに回転させることが可能であることが分かるであろう。
【００２２】
本発明の他の特徴及び利点は、非限定的な例として与えられた本発明の実施形態に関する下記の記載を読むことにより明らかになるであろう。記載は、添付図面に言及する。
【発明を実施するための最良の形態】
【００２３】
添付した図４は、位置決めシステム３０の可動支持部に対し相対的にマスト１４を位置決めするための位置決めシステム３０の可動部分を簡略化して示している。
【００２４】
位置決めシステムは、まず、マスト１４に取り付けられた第１のメカニカル・リンク・システム４０を備え、それから、ロータリーシャフト４２を形成する組立部、変形可能な平行四辺形部４４を形成する機械的組立部、そして最後に支持部１０に据え付けられた第２のメカニカル・リンク・システム４６を備えている。
【００２５】
第２のメカニカル・リンク・システム４６は、まず、並進運動を行わせるための手段４８を備える。手段４８は、本質的に、支持部１０の長さ方向に直交するガイドレール５０からなり、往復部（キャリッジ）５２を並進運動するように案内することができる。第２のメカニカル・リンク・システム４６は、往復部５２に固定された鉛直ピン５６を構成要素とする回転手段５４をも含む。鉛直ピン５６には、形状が円柱である鉛直部分５８が回転可能に取り付けられている。部分５８には、その上端部５８ａにおいて径方向に延びるアーム６０が設けられている。アーム６０は、前記部分と共に回転するように拘束されている。
【００２６】
図４に示され、その原理を説明している実施形態では、変形可能な平行四辺形部４４が２つの同一長さのバー６２及び６４によって構成される２つの長辺と、２つの短辺とを有する。２つの短辺は、それぞれ、一対の平行なアーム６６と一対の平行なアーム６８とによって構成される。一対の平行なアーム６６と一対の平行なアーム６８もまた同一長さである。この第１の実施形態において、平行四辺形部４４の全体は、実質的に、アーム６０の端部に対し相対的に固定された水平軸７０の回りに回転するように取り付けられている。変形可能な平行四辺形部４４は、水平軸７０の回りに回転するように取り付けられた部分７２をも含む。アーム６６の上端部は、軸７０の回りに回転するように取り付けられた円形部分７４によって構成される。バー６４の他端と、第２のバー６２の端部は、平行四辺形部の短辺を形成するアーム６６及び６８の対応する端部に対し相対的に回転するように取り付けられている。
【００２７】
以下により詳細に説明するように、本実施形態では、第１の制御部材が円柱７２、そしてそれ故に平行四辺形部４４の全体を軸７０回りに回転可能にし、第２の制御部材が平行四辺形部を変形可能にする。
【００２８】
好ましくは、平行四辺形部４４はアーム６６の下端部に配置された水平軸７１回りに回転するように取り付けられる。
【００２９】
図４に示す簡単化された実施形態では、平行四辺形部４４の第２の短辺を形成するアーム６８が水平クロスバー７６によって互いに連結されている。前記クロスバー７６には、アーム６８によって画定される面に対して直交する第１のシャフト７８が取り付けられている。支持システム８０が前記第１のシャフト７８に取り付けられており、シャフト７８と一直線に並べられたロータリーシャフト８２が次に前記支持システムに取り付けられている。したがって、ロータリーシャフト８２の先端８２ａをロータリーシャフト自体の軸回りに回転駆動することが可能である。
【００３０】
第１のメカニカル・リンク・システム４０は、ロータリーシャフト８２の先端８２ａに取り付けられている。第１のメカニカル・リンク・システムは、第１の組立部８４を含む。第１の組立部８４は、マストの長手方向軸に平行な回転軸を規定している。組立部８４は、マストの長手方向軸に平行なピン８８回りに回転するように取り付けられた円柱部分８６で構成することができる。円柱８６は、ロータリーシャフト８２の先端８２ａに固定されている。第１のメカニカル・リンク・システムは、好ましくは、マストの長手方向軸に沿った並進運動を行わせるための組立部９０をも含む。この組立部は、マストに固定されたヨーク又は往復台９２の形態の部品によって構成され、ピン８８に平行であり且つ２つのアーム９６及び９８でピン８８に連結されているガイドバー９４上で自由に並進運動するように取り付けられていてもよい。
【００３１】
図５は、平行四辺形部４４を制御するための二つの制御部材に適した実施形態の簡略図である。この実施形態では、第１の油圧制御式アクチュエータ１００がそのボディ１００ａを短辺６６に固定しており、また、そのロッド１００ｂの先端を長辺６４に固定している。アクチュエータ１００が「停止状態」にある場合、アクチュエータ１００は平行四辺形部４４の長辺と短辺とを相対的に固定された位置に維持する。
【００３２】
アクチュエータ１００が作動されると、アクチュエータ１００は平行四辺形部の長辺と短辺の間の角度を変更可能にする。本実施形態において、第２の制御部材は第２の油圧アクチュエータ１０２である。第２の油圧アクチュエータのボディ１０２ａは鉛直シャフト５８に固定されており、第２のアクチュエータのロッド１０２ｂの先端は短辺６６及び長辺６２の間のヒンジに固定されている。
【００３３】
第１のアクチュエータ１００が停止状態にある場合、第２のアクチュエータ１０２を作動させることは、平行四辺形部４４全体の水平軸７０回りの回転を可能にする。鉛直方向に相対的な回転角度は、−７０度から＋１１０度の範囲とすることができる。アクチュエータ１０２が「停止状態」にある場合、短辺６６は不動であり、アクチュエータ１００を作動させると短辺６８が並進運動を行う。換言すると、アクチュエータ１０２は鉛直面内でのマスト１４の向きを設定可能にする。第二段階において、アクチュエータ１００はマストを平行に、つまりマストの向きを変えずに動かし、地表の孔を掘削すべき位置にマストを合わせることを可能にする。この操作は逆の順番で行うこともできる。
【００３４】
もちろん、平行四辺形部全体の回転と、長辺および短辺により形成される角度と、を独立して制御できること（このことは、長辺と短辺の絶対位置が独立に制御されることを意味する）を条件として、平行四辺形部の他の制御モードを利用することもできる。
【００３５】
図６は、本発明の第２の好ましい実施形態を示す。
【００３６】
図６は、往復台５２付きの支持部１０、図４の鉛直シャフト５８と同一に機能し、アーム６０に相当する拡張部６０’を備えた鉛直回転部分５８’、及びマスト１４を示している。図６は、特に、符号４４’を付された変形可能な平行四辺形部及びその制御部材の好ましい実施形態を示す。
【００３７】
平行四辺形部４４’の長辺は、二つのアクチュエータ１１０及び１１２のボディ１１０ａ及び１１２ａにより構成されている。
【００３８】
ボディ１１０ａの第１の端部は、拡張部６０’により支持されている（図４の軸７０に対応する）水平軸７０’の回りを回転するように取り付けられている。平行四辺形部４４’の第１の短辺は、アーム１１４で構成されている。アーム１１４の第１の端部１１４ａは軸７０’回りに回転するように取り付けられており、かつ、歯付き扇形状部１１６に固定されている。第２のアクチュエータのボディ１１２ａの第１の端部は、アーム１１４の端部１１４ｂにヒンジ結合されている。平行四辺形部の第２の短辺は、一対のバー１１８で構成されている。各バーの一方の端部１１８ａは、アクチュエータボディ１１０ａの第２の端部の近傍にヒンジ結合されている。また、各バーの第２の端部１１８ｂは、アクチュエータボディ１１２ａの第２の端部の近傍にヒンジ結合されている。アクチュエータロッド１１０ａ及び１１２ｂの自由端は、固定部１２０にヒンジ結合されている。固定部１２０は、回転可能なリンクシステム１２２に固定されている。リンクシステム１２２は、図４のロータリーシステム７８，８０，８２と同じに機能する。
【００３９】
なお、２つのアクチュエータ１１０及び１１２は、それらのそれぞれのロッドが同じ長さだけ伸び、その結果、固定部１２０がバー１１８に対して平行のままでいるように制御される。歯付き扇形状部１１６は、回転部分５８’に取り付けられたモータ−ギアボックス装置１１２で回転させることができる。最後に、平行四辺形部４４’を制御するための制御システムは、一対のロッド１２４をも含む。各ロッドの第１の端部１２４ａは、アクチュエータ１１０のロッドの端部がヒンジ結合されているのと同一の軸において固定部１２０にヒンジ結合されている。また、各ロッドの第２の端部１２４ｂは、ピン１２６にヒンジ結合されている。ピン１２６は、回転部分５８’により支持されており、かつ、軸７０’から相対的に中心がずらされている。このために、固定部１２０の位置１２４ａは、軸１２６から一定距離を維持するように拘束される。
【００４０】
本発明のこの好ましい実施形態は、以下のように作動する。
【００４１】
アクチュエータ１１０及び１１２が停止状態にある場合、アクチュエータ１１０のロッドの先端は、バー１２４の作用により不動となる。
【００４２】
リンク部１２０の位置１２４ａは、それ故に不動である。モータ−ギアボックス装置１２２が作動されると、アーム１１４の回転によりアクチュエータ１１２は並進運動する。アクチュエータのロッド１１２ｂの端部の動きは固定部１２０を回転させ、ひいてはマスト１４を回転させる。これにより、マストは鉛直面内で適切な向きに向けられる。この向きは、モータ−ギヤボックス装置が再び作動されるまで維持される。
【００４３】
アクチュエータ１１０及び１１２が、既に述べたように、それらのロッドが等しい長さ動くように作動されると、固定部１２０はバー１１８に対して平行を維持する。アクチュエータのロッドの動き及びバー１１８の動きの作用のもと、固定部１２０は、平行四辺形部４４の面、すなわち鉛直面内で並進運動を行い、アクチュエータのボディがそれらの端部回りに回転する。回転可能システムの軸の向きは、バー１１８に対して相対的に不動である。なぜならば、このシステムがリンク部１２０に搭載されているからである。マスト１４自体は、回転可能なシステムの軸と一定の角度を形成する。したがって、マストもまた並進運動を行う。つまり、マストの鉛直面内における向きは維持される。
【００４４】
平行四辺形部４４及び平行四辺形部４４’の動作については既に説明したので、残っているのは、ボーリングマシンの残り、特にマスト位置決めシステムがどのように動作するかを説明することである。
【００４５】
ロータリーシャフト８２又は回転可能なリンクシステム１２２は、変形可能な平行四辺形部４４を含む鉛直面に対してマストを一定の方向に向けることを可能にし、そしてそれにより、種々の動きを組み合わせることにより、ガイドマストが全ての必要な位置に届くこと、及び前記ガイドマストに全ての必要な向きを与えることを可能にする。
【００４６】
第１のメカニカル・リンク・システムは、特別な機能を有する。軸８８回りに回転運動するマストは、マストの位置に関係なく、マストに取り付けられたままの掘削具を操作者が絶えず見ることができるようにマストの向きを操作することを可能にする。マストを、その長手方向軸に平行に並進するように案内するガイドシステムは、最終調整時に、マストの作動している端部１４ａを孔を掘削すべき面に接触させることを可能にする。
【００４７】
第２のメカニカル・リンク・システム４６の機能は明確に理解できる。往復部５２の動きは、例えば一連の平行な孔を掘削するために、マストの方向を変えることなく、支持部１０に対し相対的なマストの横方向位置を合わせることを可能にする。
【００４８】
回転部分５８又は５８’は、マスト１４の全体が鉛直軸回りに回転することを可能にする。
【図面の簡単な説明】
【００４９】
【図１】図１は、公知のボーリングマシンの略図である。
【図２】図２は、ボーリングマシンをよい条件で利用するために、掘削具を案内するガイドマストがとることができなければならない位置及び向きを示す。
【図３】図３は、ボーリングマシンをよい条件で利用するために、掘削具を案内するガイドマストがとることができなければならない位置及び向きを示す。
【図４】図４は、マストの位置決めシステムの一連の可動部品の全体を簡略化して示す斜視図である。
【図５】図５は、平行四辺形部を制御する制御システムに適した実施形態の略図である。
【図６】図６は、変形可能な平行四辺形部及びその制御システムの好ましい実施形態を示す。
【図１】
2004332534.tif 000003
【図２】
2004332534.tif 000004
【図３】
2004332534.tif 000005
【図４】
2004332534.tif 000006
【図５】
2004332534.tif 000007
【図６】
2004332534.tif 000008
【外国語明細書】
2004332534.tif 000009
2004332534.tif 000010
2004332534.tif 000011
2004332534.tif 000012
2004332534.tif 000013
2004332534.tif 000014
2004332534.tif 000015
2004332534.tif 000016
2004332534.tif 000017
2004332534.tif 000018
2004332534.tif 000019
2004332534.tif 000020
2004332534.tif 000021
2004332534.tif 000022
2004332534.tif 000023
2004332534.tif 000024
2004332534.tif 000025
2004332534.tif 000026
2004332534.tif 000027
2004332534.tif 000028
2004332534.tif 000029
2004332534.tif 000030